(57)【特許請求の範囲】
【請求項１】
第１の電極を有する第１の部材と、絶縁基板の第１の部材側の表面上に形成されて前記第１の電極に接続される第２の電極を有する第２の部材とを備える半導体装置において、前記絶縁基板は前記第２の電極が形成される面が粗面に形成され、前記第２の電極の少なくとも一部は接続電極として前記粗面の凹凸部の頂点においてのみ密接した連結部を有し、かつ前記粗面の凹凸部内は界面低活性剤で満たされていることを特徴とする半導体装置。
【請求項２】
前記第１の電極が導体バンプであり、前記第１の部材が半導体チップであり、前記第２の部材が搭載基板であることを特徴とする請求項１に記載の半導体装置。
【請求項３】
前記第１の電極が導体バンプであり、前記第１の部材が半導体チップであり、前記第２の部材がインターポーザであり、前記インターポーザは前記絶縁基板の前記半導体チップとは反対側の表面に導体ボールを有し、前記接続電極は一端部が前記半導体チップの前記導体バンプに接続され、他端部が前記絶縁基板に一体支持されるとともに前記導体ボールに接続されていることを特徴とする請求項１に記載の半導体装置。
【請求項４】
前記インターポーザを実装するマザーボードを備え、前記マザーボードは前記インターポーザの導体ボールに接続される配線ランドを有し、前記インターポーザは前記マザーボードと熱膨張係数が同じ材料で形成されることを特徴とする請求項３に記載の半導体装置。
【請求項５】
前記第１の電極が配線ランドであり、前記第１の部材がマザーボードであり、前記第２の部材が半導体チップを搭載するインターポーザであり、前記インターポーザは前記絶縁基板の前記マザーボード側の表面に導体ボールを有し、前記接続電極は一端部が前記導体ボールを介して前記マザーボードの前記配線ランドに接続され、他端部が前記半導体チップの導体バンプに接続されていることを特徴とする請求項１に記載の半導体装置。
【請求項６】
前記インターポーザは前記マザーボードと熱膨張係数が同じ材料で形成されることを特徴とする請求項５に記載の半導体装置。
【請求項７】
前記接続電極は、一端部と他端部とを接続する連結部が前記絶縁基板の表面上において屈曲されたパターン形状に形成されていることを特徴とする請求項１ないし６のいずれかに記載の半導体装置。
【請求項８】
前記導体バンプは剛性の高いコア材と、前記コア材の周面に配設された半田とで構成されることを特徴とする請求項２ないし６のいずれかに記載の半導体装置。
【請求項９】
前記接続電極の一端部には柱状のポストが一体に立設されていることを特徴とする請求項２ないし７のいずれかに記載の半導体装置。
【請求項１０】
前記接続電極は熱膨張係数の異なる複数の金属層で多層に構成されていることを特徴とする請求項１ないし９のいずれかに記載の半導体装置。
【請求項１１】
第１の電極を有する第１の部材と、絶縁基板の表面に形成されて前記第１の電極に接続される第２の電極を有する第２の部材とを備える半導体装置において、前記第２の部材の製造方法は、前記絶縁基板の所要位置にスルーホールを形成する工程と、前記絶縁基板の表面の前記スルーホール以外の領域の表面の界面活性度を低下処理する工程と、前記絶縁基板の表面上の前記スルーホールを含む領域に所要のパターンの接続電極からなる第２の電極を形成する工程とを含み、前記絶縁基板の表面の前記スルーホール以外の領域の表面の界面活性度を低下処理する工程は、前記絶縁基板の表面の当該領域を粗面化して微小な凹部と凸部を形成する工程と、前記絶縁基板の表面に界面低活性剤を塗布して前記凹部内に残す工程とを含み、前記第２の電極は一部において前記スルーホールを含む領域に形成されるとともに、他の一部において前記絶縁基板の凸部の頂点において当該絶縁基板に密接した状態に形成されることを特徴とする半導体装置の製造方法。
【請求項１２】
前記第２の電極を形成する工程は、前記絶縁基板の表面及びスルーホール内面に導電材料をメッキしてメッキ膜を形成する工程と、前記メッキ膜を所要のパターンに形成し前記スルーホール内面にスルーホール電極を、前記絶縁基板の表面に接続電極をそれぞれ形成する工程とを含むことを特徴とする請求項１１に記載の半導体装置の製造方法。
【請求項１３】
前記第１の部材は半導体チップであり、前記第１の電極は前記半導体チップに設けられた導体バンプであり、前記第２の部材はマザーボードに対して前記半導体チップを実装するためのマザーボードと熱膨張係数が同じインターポーザであり、前記インターポーザの絶縁基板を厚さ方向に貫通するスルーホール電極を形成し、前記絶縁基板の表面に他端部において前記スルーホール電極に接続された接続電極からなる前記第２の電極を形成し、前記絶縁基板の裏面に前記スルーホール電極に接続されて前記マザーボードに接続を行うための導体ボールを形成することを特徴とする請求項１１又は１２に記載の半導体装置の製造方法。
【請求項１４】
前記第１の部材は半導体チップを搭載した半導体チップと熱膨張係数が同じインターポーザであり、前記第１の電極は前記インターポーザに設けられた導体ボールであり、前記第２の部材はマザーボードであり、前記第２の電極は前記マザーボードの表面に設けられた配線ランドであり、前記インターポーザの絶縁基板を厚さ方向に貫通するスルーホール電極を形成し、前記絶縁基板の裏面に他端部において前記スルーホール電極に接続され一端部において前記導体ボールが配設された接続電極を形成することを特徴とする請求項１１又は１２に記載の半導体装置の製造方法。
【発明の詳細な説明】
【０００１】
【発明の属する技術分野】
本発明は半導体チップをマザーボード等の配線基板に実装するための実装構造に関するものであり、特に半導体チップとマザーボードとの間に生じる熱応力を緩和して実装の信頼性を高めた半導体装置およびその製造方法に関するものである。
【０００２】
【従来の技術】
シリコンで形成された半導体チップをエポキシ等の樹脂を主体に形成されたマザーボード等の配線基板に実装する構造として、半導体チップに設けた半田バンプをマザーボードに設けた配線ランドに対して直接接触するフリップチップ接続構造がある。このフリップチップ接続構造は構造が簡易でかつ実装が容易である反面、熱膨張係数の異なるシリコンと樹脂が直接的に接続されているため、両者の熱膨張係数の違いにより半導体チップとマザーボードとの間に熱応力が発生し、この熱応力が半田バンプや配線ランドに加えられて半田バンプにクラックが生じて半導体チップの接続が破壊され、断線する結果となる。このような熱応力を緩和するために、従来では半導体チップとマザーボードとの間に、シリコンと樹脂との中間の熱膨張係数を有するアンダーフィル樹脂を充填する構造が提案されている。しかしながら、このようなアンダーフィル樹脂を用いる技術では、一旦マザーボードに実装した半導体チップを取り外して交換することができず、メインテナンス上の問題が生じる。
【０００３】
このため、アンダーフィル樹脂を用いることなく半導体チップとマザーボードの間に生じる熱応力を緩和するための技術が記載されており、例えば特許２７３８７１１号には、マザーボードの配線ランドの構造として、水平方向に自由変形性ないしはバネ性を有する電極構造とし、熱応力によって当該配線ランドを変形することで当該熱応力を吸収し、半田バンプのクラックを防止する構造が提案されている。この構造を実現するための製造方法は、マザーボードの表面にリフトオフ膜を形成し、この膜上に配線ランドを形成するための金属膜を形成し、この金属膜を水平方向に屈曲形状もしくは曲線形状を有するようにパターン形成する。また、パターン形成する配線ランドは、その一端部においてマザーボードに固定した構造とすることで、その後にリフトオフ膜をエッチング除去することで、配線ランドは他端部がマザーボードの表面上に浮いた状態の電極として形成されることになる。したがって、形成される配線ランド、すなわち電極は一端部が固定され、他端部がフローティング状態の自由端の片持状の電極となるため、半導体チップの半田バンプを他端部に接合することにより、発生した熱応力は電極の自由変形性、バネ性による変形によって吸収され、半田バンプのクラックが防止される。同様な技術は、特開昭６３−１７７４３４号公報、特開昭６４−５０５３９号公報、特開平１−３０３７３１号公報に記載がある。
【０００４】
しかしながら、この技術はマザーボードの表面にフローティング状態の電極を形成するために、リフトオフ膜を形成してこれをエッチング除去する工程が必要であり、製造工程が複雑になる。また、電極の他端部がマザーボードの表面上でフローティングしているため、マザーボードの表面に形成された電極が他の部品や異物等に接触したときに変形され、あるいは破損されるおそれがある。さらに、フローティング構造の電極に半導体チップを半田バンブで接合した状態では、電極の弾性によって半導体チップがマザーボードに対して不安定な状態になり、外力によって半導体チップが容易にマザーボードから脱落してしまうおそれもある。
【０００５】
また、かかる従来の技術では、マザーボードの配線ランドをフローティング構造の電極として形成するが、マザーボードはサイズが大きいために配線ランドの数も極めて多数になり、全ての配線ランドを好適に製造することが難しく、製造歩留りが低く、結果としてマザーボードが高価になるという問題がある。そこで、マザーボードは従来の配線ランド構造をそのまま用い、半導体チップをインターポーザと称する中間基板に搭載し、このインターポーザを介してマザーボードに実装する構造が考えられる。例えば、特開２０００−１６４６３５号公報に記載のように、インターポーザ基板に半導体チップを搭載し、インターポーザ基板に設けた半田ボール等の電極を外部電極とする構造である。このインターポーザ基板を、マザーボードと同じ熱膨張係数の材料を用いて形成し、半導体チップとインターポーザとの間に熱応力を緩和する電極構造とすることで、マザーボードとインターポーザとの間の熱応力を解消する。この技術ではインターポーザに対してのみ熱応力を緩和する構造を採用すればよいため、製造歩留りが高くなり、かつマザーボードが高価格になることを回避することが可能である。
【０００６】
このようなインターポーザ基板における熱応力を緩和する電極構造としては、例えば、特開平１−１５５６３３号公報に記載の技術が考えられる。この技術は、半導体チップとマザーボードとの間に導体付有機膜を介挿し、この導体付有機膜に設けた導体の一端部を半導体チップの半田ボールに接続し、導体の他端部をマザーボードの配線ランドに接続している。そして、導体を片持構造としてバネ性を付与することで、半導体チップと配線基板との間の熱応力を緩和することが可能である。
【０００７】
【発明が解決しようとする課題】
しかしながら、この公報に記載の技術は、導体付有機膜に設けた導体の構造は、先に示した公報に記載のマザーボードに適用されたフローティング構造の電極の構造とほぼ同じであるため、リフトオフによる製造方法が必要であり、製造工程が複雑になる。また、導体がフローティング構造であるため破損され易く、しかもインターポーザに対して半導体チップを搭載した状態では導体の弾性によって半導体チップが不安定な状態となり、外力によって半導体チップが脱落してしまうおそれもある。
【０００８】
本発明の目的は、半導体チップと、これを搭載する基板との間に生じる熱応力を緩和する一方で、製造が容易で、しかも半導体チップを安定に保持することが可能な半導体装置およびその製造方法を提供するものである。
【０００９】
【課題を解決するための手段】
本発明は、第１の電極を有する第１の部材と、絶縁基板の第１の部材側の表面上に形成されて第１の電極に接続される第２の電極を有する第２の部材とを備える半導体装置において、絶縁基板は第２の電極が形成される面が粗面に形成され、第２の電極の少なくとも一部は接続電極として粗面の凹凸部の頂点においてのみ密接した連結部を有し、かつ前記粗面の凹凸部内は界面低活性剤で満たされていることを特徴とする。
【００１０】
本発明の半導体装置の第１の形態は、第１の電極が導体バンプであり、第１の部材が半導体チップであり、第２の部材が搭載基板である。
【００１１】
本発明の半導体装置の第２の形態は、第１の電極が導体バンプであり、第１の部材が半導体チップであり、第２の部材がインターポーザであり、インターポーザは絶縁基板の半導体チップとは反対側の表面に導体ボールを有し、接続電極は一端部が半導体チップの導体バンプに接続され、他端部が絶縁基板に一体支持されるとともに導体ボールに接続されている。この場合、インターポーザを実装するマザーボードを備え、マザーボードはインターポーザの導体ボールに接続される配線ランドを有し、インターポーザはマザーボードと熱膨張係数が同じ材料で形成される構成とすることが好ましい。
【００１２】
本発明の半導体装置の第３の形態は、第１の電極が配線ランドであり、第１の部材がマザーボードであり、第２の部材が半導体チップを搭載するインターポーザであり、インターポーザは絶縁基板のマザーボード側の表面に導体ボールを有し、接続電極は一端部が導体ボールを介してマザーボードの配線ランドに接続され、他端部が半導体チップの導体バンプに接続されている。この場合、インターポーザはマザーボードと熱膨張係数が同じ材料で形成されることが好ましい。
【００１３】
ここで、接続電極は一端部と他端部とを接続する連結部が絶縁基板の表面上において屈曲されたパターン形状に形成される。
【００１４】
また、本発明では次のように構成することが好ましい。導体バンプは剛性の高いコア材と、コア材の周面に配設された半田とで構成される。接続電極の一端部には柱状のポストが一体に立設される。接続電極は熱膨張係数の異なる複数の金属層で多層に構成される。
【００１５】
本発明の前記製造方法は、第１の電極を有する第１の部材と、絶縁基板の表面に形成されて前記第１の電極に接続される第２の電極を有する第２の部材とを備える半導体装置において、第２の部材の製造方法は、絶縁基板の所要位置にスルーホールを形成する工程と、絶縁基板の表面の前記スルーホール以外の領域の表面の界面活性度を低下処理する工程と、絶縁基板の表面上のスルーホールを含む領域に所要のパターンの接続電極からなる第２の電極を形成する工程とを含み、絶縁基板の表面のスルーホール以外の領域の表面の界面活性度を低下処理する工程は、絶縁基板の表面の当該領域を粗面化して微小な凹部と凸部を形成する工程と、絶縁基板の表面に界面低活性剤を塗布して凹部内に残す工程とを含み、第２の電極は一部においてスルーホールを含む領域に形成されるとともに、他の一部において絶縁基板の凸部の頂点において絶縁基板に密接した状態に形成されることを特徴とする。ここで、第２の電極を形成する工程は、絶縁基板の表面及びスルーホール内面に導電材料をメッキしてメッキ膜を形成する工程と、メッキ膜を所要のパターンに形成しスルーホール内面にスルーホール電極を、絶縁基板の表面に接続電極をそれぞれ形成する工程とを含んでいる。
【００１６】
例えば、本発明の前記製造方法においては、第１の部材は半導体チップであり、第１の電極は半導体チップに設けられた導体バンプであり、第２の部材はマザーボードに対して半導体チップを実装するためのマザーボードと熱膨張係数が同じインターポーザであり、インターポーザの絶縁基板を厚さ方向に貫通するスルーホール電極を形成し、絶縁基板の表面に他端部においてスルーホール電極に接続された接続電極からなる第２の電極を形成し、絶縁基板の裏面にスルーホール電極に接続されてマザーボードに接続を行うための導体ボールを形成する。
【００１７】
さらに、本発明の製造方法においては、第１の部材は半導体チップを搭載した半導体チップと熱膨張係数が同じインターポーザであり、第１の電極はインターポーザに設けられた導体ボールであり、第２の部材はマザーボードであり、第２の電極はマザーボードの表面に設けられた配線ランドであり、インターポーザの絶縁基板を厚さ方向に貫通するスルーホール電極を形成し、絶縁基板の裏面に他端部においてスルーホール電極に接続され一端部において導体ボールが配設された接続電極を形成する。
【００１８】
本発明の半導体装置によれば、第１の部材と第２の部材との間に熱膨張係数の違いに基づく熱応力が発生し、この熱応力が第１の電極と第２の電極に加えられたときに、接続電極は一部において第２の部材の絶縁基板の表面から剥離され、接続電極における弾性変形によって熱応力を緩和し、第１の電極及び第２の電極の破壊が防止される。また、熱応力が加えられない状態では、接続電極は第２の部材に密接した状態にあるため、第１の部材を安定な状態に搭載することが可能である。
【００１９】
【発明の実施の形態】
次に、本発明の実施形態を図面を参照して説明する。図１は本発明の第１の実施形態の断面図、図２はその一部の拡大断面図である。複数の半導体チップ１はフリップフロップ接続によりそれぞれ個別のインターポーザ２に搭載されており、これら半導体チップ１とインターポーザ２により半導体装置が構成されている。前記半導体チップ１はシリコン等の半導体基板１１に、図には表れない所要の素子が形成されるとともに、その主面側に接続ランド１２が配設され、当該接続ランド１２の表面に半田バンプ４が設けられ、当該主面を下方に向けて前記インターポーザ２に搭載されている。前記インターポーザ２は絶縁基板２１を主体に構成されており、この絶縁基板２１の上面に詳細を後述する接続電極２２が形成され、その一端部に前記半田バンプ４が接合されている。また、前記接続電極２２の他端部は絶縁基板２１を厚さ方向に貫通するスルーホール電極２３の上端面に接続されている。前記スルーホール電極２３の下端面は前記絶縁基板２１の下面に露出され、ここに半田ボール５が接合されている。そして、このインターポーザ２の下面に配設された前記半田ボール５が、同図のように、マザーボード３の絶縁性基板３１の上面に設けた配線ランド３２に接合されて実装が行われる。
【００２０】
前記インターポーザ２について詳細に説明する。図３（ａ），（ｂ）はインターポーザ２の一部領域の上面図及び下面図である。また、図４は一部の拡大破断斜視図である。インターポーザ２はエポキシ樹脂等のようにマザーボードと同じ材料、或いはマザーボードと熱膨張係数がほぼ等しい絶縁基板２１を主体に形成されており、前記半導体チップ１の接続ランド１２に対して僅かにずれた平面位置にそれぞれスルーホール電極２３が配設されている。このスルーホール電極２３は前記絶縁基板２１を板厚方向に貫通した開口２３ａ内に導電材２３ｂを埋め込んだ構成とされている。また、前記絶縁基板２１の上面に形成された前記接続電極２２は、一端部２２ａが前記半導体チップ１の接続ランド１２に対応する位置に配置されたチップランド部として形成されており、他端部２２ｂが前記スルーホール電極２３の上端面に一体的に接続されたスルーホールランド部として形成され、これら両ランド部２２ａ，２２ｂを同一平面内で屈曲されたパターン形状の連結部２２ｃにより連結した構成とされている。この例では連結部２２ｃは前記スルーホールランド部２２ｂのほぼ円周のほぼ３／４を囲む円弧状部２２ｃａと、当該円弧状部２２ｃａからチップランド部２２ａにまで延びる直線部２２ｃｂとで形成されている。なお、前記半田ボール５は前記インターポーザ２の下面において前記スルーホール電極２３の下端面に直接に接合されている。
【００２１】
さらに、図５に前記インターポーザ２の一部を拡大した模式的断面図を示すように、前記接続電極２２は前記スルーホールランド部２２ｂを除く領域、すなわちスルーホール電極２３に接続された部分を除く領域である前記チップランド部２２ａ及び連結部２２ｃの各領域が前記絶縁基板２１の表面から剥がれ易い構造となっており、特にチップランド部２２ａに加えられる応力によってこれらの領域が絶縁基板２１の上面から比較的容易に剥離されるように構成されている。例えば、この例では、絶縁基板２１の上面には比較的に粗い凹凸２４が形成されており、この凹凸２４の内部には後述する界面低活性剤２５が塗布されるとともに、当該界面低活性剤２５が塗布されていない凹凸２４の頂点においてのみ接続電極２２の裏面が絶縁基板２１の上面に密接された構成とされており、当該接続電極２２に加えられる応力によって当該接続電極２２は比較的容易に絶縁基板２１の上面から剥離されるようになっている。
【００２２】
前記接続電極２２を含むインターポーザ２の製造方法の一例について説明する。図６（ａ）に示すように、インターポーザ２の絶縁基板２１の所要箇所に選択エッチング法、あるいはドリル、パンチ等による機械的な開口法によって板厚方向に貫通する開口、すなわちスルーホール２３ａを開設する。次いで、絶縁基板２１の上面に対して微細粒子を含む液体を噴射し、いわゆるウェットブラスト法により絶縁基板２１の上面に微細な凹凸２４を形成して粗面化する。次いで、図６（ｂ）のように、絶縁基板２１の上面に界面活性度の低い材料（界面低活性剤）２５を薄く塗布する。この塗布により界面低活性剤２５は前記凹凸２４の凹部内にのみ付着され、凸部の頂点領域には付着しない状態となる。続いて、前記スルーホール２３ａの内部にＣｕ等の導体を選択メッキ法等により充填し、スルーホール電極２３を形成する。しかる上で、図６（ｃ）のように、絶縁基板２１の上面にメッキ法によりＣｕ，Ａｕ，Ｎｉ等の導電材のメッキ膜２２Ａを形成する。その後、図６（ｄ）のように、上面のメッキ膜２２Ａをフォトリソグラフィ技術等により選択的にエッチングして図３（ａ）のようにパターン形成することにより、絶縁基板２１の上面に前記接続電極２２が形成される。このように形成された接続電極２２は、絶縁基板２１の上面が粗面化されるとともに凹凸２４内には界面低活性剤２５が塗布されているため、スルーホールランド部２２ｂはスルーホール電極２３と一体となって絶縁基板２１に対して強固に接続された状態にあるが、チップランド部２２ａ及び連結部２２ｃでは下面は凹凸２４の頂点でのみ密着した状態にあり、比較的に小さい力で絶縁基板２１の上面から剥離され易いものとなっている。例えば、ピール強度で０．２Ｋｇｆ／ｃｍ程度の剥離強度となっている。
【００２３】
以上の構成の半導体装置によれば、マザーボード３に実装された状態で熱履歴を受けたときには、マザーボード３とインターポーザ２は熱膨張係数がほぼ等しいため、両者間に熱応力が生じることはなく、マザーボード３の配線ランド３２に接合されている半田ボール５におけるクラック等の発生が防止される。一方、半導体チップ１とインターポーザ２との間には熱膨張係数の違いに基づく熱応力が発生する。この熱応力は半田バンプ４に加えられ、さらに半田バンプ４が接続されたインターポーザ２の接続電極２２に加えられる。そのため、図７に示すように、接続電極２２は半田バンプ４が接続されたチップランド部２２ａがインターポーザ２の絶縁基板２１の上面から剥離される。さらに、接続電極２２は加えられた応力の大きさに応じてチップランド部２２ａから連結部２２ｃにわたる領域が剥離されるが、スルーホールランド部２２ｂはスルーホール電極２３の上端面に一体的に接続されているため剥離されることはない。そして、接続電極２２がこのように剥離した状態では、チップランド部２２ａから連結部２２ｃの領域は接続電極自身の剛性と弾性によって絶縁基板２１の上面上にフローティングした状態となる。このように接続電極２２が絶縁基板２１から剥離し、さらにはチップランド部２２ａないし連結部２２ｃが弾性変形することにより、半導体チップ１とインターポーザ２との間に生じた熱応力が吸収されることになる。
【００２４】
以上のことから、本発明においては半導体装置の製造工程において、インターポーザ２を形成する際に絶縁基板２１の表面を粗面処理し、かつ粗面処理した上で、従来の一般的な導電膜による電極を形成する工程と同じメッキ法及びパターン形成の各工程を行えば、本発明にかかる接続電極２２が形成できる。そのため、従来の種々の電極のように予め接続電極をフローティング状態に形成するための工程が不要であり、製造工程を簡略化し、低コスト化が実現できる。また、本発明のインターポーザ２においては、半導体チップ１をインターポーザ２に搭載し、さらにマザーボード３に実装した後、熱応力が発生して剥離が生じるまでは接続電極２２は絶縁基板２１の表面に密接した状態にあるため、半導体チップ１を搭載する以前に接続電極２２が破損されるようなことはない。さらに、熱応力が発生して接続電極２２が剥離する状態が生じた場合でも、半田バンプ４が接合された全ての接続電極２２において剥離が生じることはなく、通常では半導体チップ１の中央領域では周辺領域に比較して熱応力が低いために中央領域の接続電極２２が剥離されることは少なく、この剥離されない接続電極において半導体チップ１をインターポーザ２に安定に保持することが可能になる。
【００２５】
ここで、前記インターポーザにおいて、図６（ａ），（ｂ）の工程における絶縁基板２１の上面に形成する凹凸２４の粗面の粗さ、表面低活性剤２５の塗布量等を適宜に調整することで、絶縁基板２１に対する接続電極２２の密接強度、すなわち剥離強度を調整することができる。例えば、粗面の粗さを粗くすることで接続電極２２と絶縁基板２１とが密接する面積を低減して剥離し易くすることが可能である。また、接続電極２２を形成する前の表面低活性剤２５の塗布量を多くすることで接続電極２２と絶縁基板２１との密接度を低下して剥離し易くする。あるいは、接続電極２２を形成した後に接続電極２２と絶縁基板２１との密接度を低下させる薬液を供給することによって更に剥離をし易く形成することも可能である。これにより、半導体チップ１とインターポーザ２の熱膨張係数の差や、半導体チップのサイズ１の違い等に応じて適宜な剥離強度に設定することで、半導体チップ１とインターポーザ２との間に生じる熱応力を適切に緩和するとともに接続電極が安易に剥離されることがなく半導体チップ１を安定に保持することが可能な半導体装置を得ることが可能である。このことは特に、インターポーザ２を半導体チップ１とマザーボード３の中間の熱膨張係数の材料で形成したような場合に有効である。
【００２６】
図８（ａ）は本発明の第２の実施形態の要部の断面図である。なお、以下の実施形態において第１の実施形態と等価な部分には同一符号を付してある。この実施形態ではインターポーザ２に設けた接続電極２２を２層構造としている。すなわち、接続電極２２を熱膨張係数の大きな金属材料の下層２２１と、それよりも熱膨張係数の小さな金属材料の上層２２２で形成する。例えば、下層２２１を銅で形成し、上層２２２を銅合金で形成する。このようにすることで、半導体装置が熱履歴を受けたときには、図８（ｂ）のように、接続電極２２に上下の各層２２１，２２２の熱膨張係数の差によるバイメタル効果が生じ、接続電極２２が上方に凹の状態で反る状態となる。この反り力により絶縁基板２１の上面における接続電極２２の前記した剥離を助長し、半田バンブ４における熱応力の緩和効果を高めることが可能になる。
【００２７】
図９は本発明の第３の実施形態の要部の断面図である。この実施形態では半導体チップ１の主面の接続ランド１２に形成した半田バンプ４に代えて複合半田バンプを用いている。複合半田バンプ４Ａは内部に比較的に剛性のあるコア体４１を有しており、このコア体４１の周面を覆うように半田膜４２が配設された構成である。コア体４１としては耐熱性のある硬質樹脂、あるいは高融点金属が用いられる。このような複合半田バンプ４Ａを用いることで、半導体チップ１をインターポーザ２に搭載する際には、複合半田バンプ４Ａは周囲の膜状の半田４２のみが溶融してコア体４１を挟んだ状態で接続ランド１２と接続電極２２が接続されることになり、このときの熱処理によって溶融される半田４２の量が増大することを抑制することができ、溶融した半田４２が隣接する電極にまで流れて電極同士が短絡することを防止することが可能である。また、コア体４１によって半導体チップ１とインターポーザ２との間の間隔寸法を保持し、溶融半田による隣接電極間の短絡をより有効に防止することが可能になる。これにより、半導体チップ１における接続ランド１２及びインターポーザ２における接続電極２２の配列ピッチ寸法の微細化が促進でき、高集積化が可能になる。
【００２８】
あるいは、第３の実施形態においては、図１０に示す断面図のように、半導体チップ１の接続ランド１２の表面と、インターポーザ２の接続電極２２の一端部（チップランド部）２２ａの表面にそれぞれ半田４３，４４を印刷するとともに、半導体チップ１の接続ランド１２上に金属ボールやＡｕ等の金属をメッキした樹脂ボール等からなるコアボール４５を仮止めしておく。そして、当該コアボール４５をインターポーザ２の接続電極２２上に載置した状態でリフローを行ない、半田４３，４４を溶融してコアボール４５の表面に沿って流動させながら接続ランド１２と接続電極２２とを半田接続する構成としてもよい。接続した状態は図９の実施形態の場合と同様な状態となる。この構成においても、半田量を低減し、溶融半田による隣接する接続電極間の短絡を防止し、高集積化を図ることが可能になる。
【００２９】
この場合、図１１に示すように、半導体チップ１の接続ランド１２の表面に前記実施形態と同様に半田４３を印刷する一方で、インターポーザ２の接続電極２２の一端部（チップランド部）２２ａ上にはＣｕ等からなる所要の高さの柱状のポスト４６を一体的に立設した構成としてもよい。ポスト４６は例えばレジストマスク等を用いて接続電極２２の表面上に所要の厚さの選択メッキを施すことによって製造することが可能である。当該ポスト４６の高さ寸法は、例えば０．０５ｍｍ程度とする。この実施形態では、半導体チップ１の接続ランド１２を前記ポスト４６に対して位置合わせし、かつ接触させた状態でリフローを行うことにより、ポスト４６の上面が接続ランド１２に半田付けされることになり、半田量をさらに低減するとともに、溶融した半田が接続電極２２の表面上で流れることがなくなり、半田による隣接する接続電極間の短絡が防止される。
【００３０】
図１２は本発明の第４の実施形態の要部の断面図である。この実施形態では、インターポーザ２のスルーホール電極を形成する代わりに、スルーホール電極と同等の機能を絶縁基板２１の下面に形成した半田ボール４で兼用した構成である。すなわち、インターポーザ２の絶縁基板に開設された厚さ方向のスルーホール２３ａ内に絶縁基板２１の下面側に突出した状態で配設された半田ボール５の一部が内在され、その半田ボール５の上端部において絶縁基板２１の上面に形成された接続電極２２の他端部（スルーホールランド部）２２ｂに接続した構成としたものである。このようにすることで、インターポーザ２を形成する際に、絶縁基板２１のスルーホール２３ａ内にメッキ法による導電膜を形成する必要がなくなり、当該メッキ処理を不要して処理工程時間の短縮化、導電材料の低減が可能になり、製造の容易化及び低コスト化が可能になる。なお、接続電極２２がチップランド部２２ａないし連結部２２ｃにおいて剥離した場合にも、接続電極２２のスルーホール部２２ｂは半田ボール５との接続によって剥離が防止されるものであることは前記各実施形態と同じである。
【００３１】
以上の各実施形態は本発明にかかる接続電極２２を半導体チップ１とインターボーザ２を接続する半田バンプ４に接続する部位に適用した例であるが、インターポーザ２とマザーボード３とを接続する半田ボール５の部位に適用することも可能である。例えば、図１３に第５の実施形態として断面図を示すように、半導体チップ１は半田バンプ４によりシリコンと熱膨張係数がほぼ等しいインタポーザ２に搭載されて半導体装置が構成されており、インターポーザ２の下面に設けられた半田ボール５によってマザーボード３に実装されている。ここで、前記インターポーザ２の絶縁基板２１にはスルーホール電極２３を形成するとともに、絶縁基板２１の下面には前記各実施形態の接続電極と同様に凹凸２４を形成する等して絶縁基板２１の下面から剥離し易い接続電極２２を形成する。形成した接続電極２２は一端部２２ａに半田ボール５を形成し、他端部２２ｂは前記スルーホール電極２３の下端面に接続する。また、絶縁性基板２１の上面にはスルーホール電極２３の上端面に半導体チップ１と接続を行う半田バンプ４を接合したものである。
【００３２】
この実施形態では、熱履歴を受けたときに熱膨張係数がほぼ等しい半導体チップ１とインターポーザ２との間には熱応力は発生せず、半田バンプ４においてクラック等が発生することはない。一方、熱膨張係数が異なるインターポーザ２とマザーボード３との間の半田ボール５に熱応力が加わるが、その際にインターポーザ２の接続電極２２の一端部２２ａ及び連結部２２ｃにおいて絶縁基板２１の下面からの剥離が生じるため、熱応力を緩和し、半田ボール５及び配線ランド３２におけるクラック等の発生を防止することが可能となる。
【００３３】
なお、接続電極２２のパターン形状としては、図１４に示す種々のパターンを採用することが可能である。これらのパターン形状において、（ａ）〜（ｄ）は連結部２２ｃの円弧状部２２ｃａが他端部（スルーホールランド部）２２ｂを包囲する円形に形成されているため、熱応力が平面方向のいずれの方向に向けて生じる場合でも接続電極２２において好適な剥離を生じさせ、応力を緩和することが可能になる。また、（ｅ）〜（ｈ）は連結部２２ｃが短く形成されているため、熱応力により接続電極２２が一端部２２ａにおいて剥離した場合でも接続電極の変形度合いを抑制し、半導体チップを安定に保持する上で有効である。なお、接続電極は同図に示した以外のパターンに形成することも可能であることは言うまでもない。
【００３４】
また、前記各実施形態では絶縁基板２１の表面の凹凸２４に界面低活性剤を塗布しているが、接続電極２２との接触性の低い材料であれば界面低活性剤に代えて使用することが可能である。
【００３５】
【発明の効果】
以上説明したように本発明の半導体装置及び製造方法によれば、半導体チップ等の第１の部材と、当該第１の部材を搭載するインターポーザ等の第２の部材とを備える半導体装置において、第１の部材の第１の電極に接続される第２の部材に設けられる第２の電極においては、絶縁基板は第２の電極が形成される面が粗面に形成され、第２の電極の少なくとも一部は接続電極として粗面の凹凸部の頂点においてのみ密接した連結部を有し、かつ前記粗面の凹凸部内は界面低活性剤で満たされており、これにより第１の電極との接続領域において第２の部材の絶縁基板の表面から剥がれ易い接続電極として構成されているので、第１の部材と第２の部材との間に熱膨張係数の違いに基づく熱応力が発生し、この熱応力が第１の電極と第２の電極に加えられたときに、接続電極は一部において第２の部材の絶縁基板の表面から剥離され、接続電極における弾性変形によって熱応力を緩和し、第１の電極及び第２の電極の破壊が防止される。また、熱応力が加えられない状態では、接続電極は第２の部材に密接した状態にあるため、第１の部材を安定な状態に搭載することが可能になる。これにより、本発明は、第１及び第２の電極の配列ピッチ寸法を縮小し、高集積でかつ高信頼度の半導体装置を得ることができる。
【図面の簡単な説明】
【図１】本発明の半導体装置の断面図である。
【図２】図１の一部の拡大図である。
【図３】インターポーザの上面図と下面図である。
【図４】インターポーザの一部の破断拡大斜視図である。
【図５】インターポーザの一部の拡大断面図である。
【図６】インターポーザの製造方法を示す工程断面図である。
【図７】接続電極の動作状態を示す図２に対応する断面図である。
【図８】本発明の他の実施形態の断面図である。
【図９】本発明の異なる他の実施形態の断面図である。
【図１０】図９の実施形態の変形例の断面図である。
【図１１】図９の実施形態の他の変形例の断面図である。
【図１２】本発明の他の異なる実施形態の断面図である。
【図１３】本発明の更に異なる他の実施形態の断面図である。
【図１４】接続電極の異なるパターン形状を示す図である。
【符号の説明】
１  半導体チップ
２  インターポーザ
３  マザーボード
４  半田バンプ
５  半田ボール
１１  シリコン基板
１２  接続ランド
２１  絶縁基板
２２  接続電極
２３  スルーホール電極
２４  凹凸
２５  界面低活性剤
３１  絶縁性基板
３２  配線ランド
【図１】
0003860000.tif 000002
【図２】
0003860000.tif 000003
【図３】
0003860000.tif 000004
【図４】
0003860000.tif 000005
【図５】
0003860000.tif 000006
【図６】
0003860000.tif 000007
【図７】
0003860000.tif 000008
【図８】
0003860000.tif 000009
【図９】
0003860000.tif 000010
【図１０】
0003860000.tif 000011
【図１１】
0003860000.tif 000012
【図１２】
0003860000.tif 000013
【図１３】
0003860000.tif 000014
【図１４】
0003860000.tif 000015